(57)【特許請求の範囲】
【請求項１】
調整ネジと、ピボット付ナットと、ナット受けと、ピボットホルダと、調整ネジ受けとから成る照準装置であり、前記ピボット付ナットのナット部には軸方向に沿うスリットが設けられて前記調整ネジをこのスリットに押圧することで拡がり嵌着する構成とされ、前記ナット受けと調整ネジ受けとはハウジングに設けられて前記ナット受けは前記ピボット付ナットのナット部を外径で挟み保持する構成とされて両者の嵌着が行われたときには前記調整ネジとは螺合状態で係着し、前記ピボットホルダは反射鏡に設けられて前記ピボット付ナットのナット部と揺動自在に係着し、且つ、前記ナット受けと、ピボットホルダと、調整ネジ受けとは前記調整ネジの軸に沿う係着方向とされていることを特徴とする照準装置。
【請求項２】
前記調整ネジとピボット付ナットとの嵌着が、調整ネジに対するピボット付ナットの位置を規制する治具をもって行われるものとされ、前記治具はこの照準装置を採用する前照灯の機種毎に適正な位置のものが用意され、機種に応じる選択が行われて、これにより前照灯組立工程での照準工程を不要とすることを特徴とする照準装置の製造方法。
【発明の詳細な説明】
【０００１】
本発明は車両用の前照灯に関するものであり、詳細には前照灯を車体に取付けた際に照射方向が適正となるように、反射鏡の向きを調整するために設けられる照準装置の構成及びその製造方法に係るものである。
【０００２】
【従来の技術】
従来の前照灯９０における照準装置８０の構成の例を示すものが図６、図７であり、反射鏡９１の例えば向かって右下隅にはボールジョイント８１が設けられ、この反射鏡９１を車体に取付けた状態におけるボールジョイント８１の垂直方向の上方となる右上隅と、水平方向となる左下隅（図示せず）には調整ナット８２が設けられている。
【０００３】
また、ハウジング９２の右下隅にはボール受け８１ａが前記ボールジョイント８１に対応し、右上隅には垂直用の調整ネジ８２ａが、左下隅には水平用の調整ネジ８２（図示せず）ａがそれぞれの調整ナット８２に対応する位置として、それぞれに設けられている。
【０００４】
そして、先ず、ボールジョイント８１をボールジョイント受け８１ａに嵌着し、しかる後にそれぞれが対応する調整ネジ８２ａと調整ナット８２とを螺合させることで、反射鏡９１とハウジング９２との取付けを行うものであり、その後にはレンズ９３を取付けて前照灯９０の組立は完了する。
【０００５】
尚、図７に示すものは、調整ナット８２と調整ネジ８２ａとの構成を詳細に示すものであり、前記調整ナット８２は反射鏡９１の背面に略コ字状として設けられたナットホルダ８２ｂに取付けられ、調整ネジ８２ａは一方の端部近傍でハウジング９２に回動自在として取付けられていて、ハウジング９２の外面から、この調整ネジ８２ａを回動させることで、垂直用ナット８２は調整ネジ８２ａ上を前後に移動し反射鏡９１の向きをボールジョイント８１を回動の中心として変更するものとなる。
【０００６】
【発明が解決しようとする課題】
しかしながら、前記した従来の構成の照準装置８０において第一には、前照灯９０を組立てる工程中の反射鏡９１とハウジング９２との取付工程において、調整ネジ８２ａと調整ナット８２とを直接に目視で確認することが困難なハウジング９２内で螺合させ、且つ、それぞれの調整ナット８２が対応するそれぞれの調整ネジ８２ａの適宜位置に達するまでねじ込まなければ成らないものとなるので、組立工程が難かしく且つ時間がかかるものとなる問題点を生じている。
【０００７】
また第二には、上記したように目視で確認することが困難なハウジング９２内でそれぞれの調整ナット８２と調整ネジ８２ａの螺合が行われるので、それぞれの調整ネジ８２ａに対するそれぞれの調整ナット８２の位置出しが困難であり、結果としてハウジング９２に対する反射鏡９１の取付方向にバラツキが多く、例えば前照灯９０としての組立が終了した時点で、反射鏡９１の照射方向に対する再調整を行わざるを得ないものとなり、工数が増加する問題点も生じている。
【０００８】
【課題を解決するための手段】
本発明は、上記した従来の課題を解決するための具体的手段として、調整ネジと、ピボット付ナットと、ナット受けと、ピボットホルダと、調整ネジ受けとから成る照準装置であり、前記ピボット付ナットのナット部には軸方向に沿うスリットが設けられて前記調整ネジをこのスリットに押圧することで拡がり嵌着する構成とされ、前記ナット受けと調整ネジ受けとはハウジングに設けられて前記ナット受けは前記ピボット付ナットのナット部を外径で挟み保持する構成とされて両者の嵌着が行われたときには前記調整ネジとは螺合状態で係着し、前記ピボットホルダは反射鏡に設けられて前記ピボット付ナットのナット部と揺動自在に係着し、且つ、前記ナット受けと、ピボットホルダと、調整ネジ受けとは前記調整ネジの軸に沿う係着方向とされていることを特徴とする照準装置、及び、その製造方法を提供することで課題を解決するものである。
【０００９】
【発明の実施の形態】
つぎに、本発明を図に示す実施形態に基づいて詳細に説明する。図１に符号１で示すものは本発明に係る照準装置であり、この照準装置１は、調整ネジ２と、ピボット付ナット３と、ナット受け４と、ピボットホルダ５と、調整ネジ受け６とから構成されている。
【００１０】
前記調整ネジ２は、一端で前照灯１０のハウジング１１に設けられる調整ネジ受け６に回動自在に係着されるものであり、この調整ネジ２にはハウジング１１の外側に露出するようにギア２ａが取付けられていて、前照灯１０の外側から照準作業が行えるようにされている。
【００１１】
また、前記調整ネジ２の他端にはピボット付ナット３がナット部３１で螺合され、また、ナット部３１は前記ハウジング１１に設けられたナット受け４に、調整ネジ２の軸Ｘ方向に摺動自在として係合されているので、前記調整ネジ２を回転させることで軸Ｘ方向に沿い移動する。尚、このときの移動方向は前記調整ネジ２の回転方向により前進、後退の選択が自在である。
【００１２】
そして、前記ピボット付ナット３にはボールジョイント状とされたピボット部３２が、この実施形態においては前記調整ネジ２と同軸として設けられ、このピボット部３２は反射鏡１２の背面などに設けられたピボットホルダ５に嵌着されている。また、図示は省略するが前記反射鏡１２には、ピボット部３２とピボットホルダ５とほぼ同様な構成とされ、調整ネジ２による移動機構を持たない支点が設けられ、照準装置１は前記支点を回転の中心として反射鏡１２の向きを変更するものと成る。
【００１３】
図２及び図３は、照準装置１の要部である調整ネジ２、ピボット付ナット３、及び、ナット受け４の構成を示すものであり、本発明では前記調整ネジ２とピボット付ナット３との係着は、通常のネジとナットの係着の如く螺合によるものではなく、圧入もしくは挟着により行うものとされている。
【００１４】
即ち、図３にも示すようにピボット付ナット３のナット部３１は、このナット部３１のネジ軸方向に沿うスリット３１ａが設けられていて、外部から応力を加えることで前記スリット３１ａの部分が拡がり、該スリット３１ａを通過させて調整ネジ２を係着できるものとされている。また、この係着は調整ネジ２をスリット３１ａの部分に押圧し、このときの応力によりスリット３１ａを拡げるものとしても良い。
【００１５】
また、前記ナット部３１には１対の摺動ガイド３１ｂが外側に張出すようにして設けられていて、この摺動ガイド３１ｂをナット受け４に嵌着させることで、ナット部３１のスリット３１ａが拡がる方向への変形は防止され、調整ネジ２とピボット付ナット３との離脱は生じないものとなり、且つ、係着が行われた後の両者は螺合が行われている状態となる。
【００１６】
ここで、前記ナット受け４は、ハウジング１１に設けられるものであり、上記にも説明したようにピボット付ナット３を軸Ｘと平行方向に摺動自在として嵌合するものであるので、前記調整ネジ２を回転させることで、前記ピボット付ナット３はナット受け４内を軸Ｘに沿う方向に平行移動を行うものとなる。
【００１７】
図４は、本発明の照準装置１を製造するときの、調整ネジ２とピボット付ナット３との組立工程を示すものであり、両部品２、３は上記にも説明したようにスリット３１ａを拡げての挟着など１工程で行われるものであるが、加えて本発明では治具２０が採用され、調整ネジ２とピボット付ナット３との位置関係を、例えば図中に寸法Ｄで示す部分で規制し、正確に一定の関係寸法が得られるものとしている。
【００１８】
ここで、上記寸法Ｄについて説明を行う。前照灯１０の組立工程においては、従来例でも説明したように、前照灯１０に組立が完了した後に反射鏡１２の最終照準工程を行わなければ成らず、その理由は、前照灯１０の組立工程において、調整ネジ２とピボット付ナット３とを螺合により係着させるので、工程中においては両者２、３に正確な位置関係を設定することが困難であったからである。
【００１９】
よって、前記調整ネジ２とピボット付ナット３との組付け時に、両者に正確な位置関係が保持できるものであれば、上記の組立工程終了後の最終照準工程は省略することが可能となり、本発明は、上記説明の治具２０の採用により、これを可能とするものである。
【００２０】
尚、照準装置１において、特に調整ネジ２とピボット付ナット３とは、前照灯１０の機種に係わることのなく共有化することが可能な部品であるので、前照灯１０の機種毎に寸法Ｄを適正化した治具２０を用意しておけば、多数の機種の前照灯１０の組立工程から最終照準工程は省略することが可能となり、生産性の向上が図れるものとなる。
【００２１】
また、本発明によれば、前記ナット受け４と、ピボットホルダ５と、調整ネジ受け６とは前記調整ネジ２の軸に沿う係着方向とされていることで、例えば、前記ナット受け４に、調整ネジ２との組付が行われたピボット付ナット３を嵌合させておき、そして、ハウジング１１の前方開口部から、反射鏡１２とをピボットホルダ５とピボット付ナット３とを位置合せした状態で押圧すれば、ピボットホルダ５とピボット付ナット３、及び、調整ネジ２と調整ネジ受け６とは、自動的に位置が合い係着するものと成り、従来例のようにハウジングの内部の視認が困難な部分での係着作業をなくすることができる。図５は上記説明の構成、及び、製造方法により前照灯に組込まれた完成状態の照準装置１である。
【００２２】
【発明の効果】
以上に説明したように本発明により、調整ネジと、ピボット付ナットと、ナット受けと、ピボットホルダと、調整ネジ受けとから成る照準装置であり、前記ピボット付ナットのナット部には軸方向に沿うスリットが設けられて前記調整ネジをこのスリットに押圧することで拡がり嵌着する構成とされ、前記ナット受けと調整ネジ受けとはハウジングに設けられて前記ナット受けは前記ピボット付ナットのナット部を外径で挟み保持する構成とされて両者の嵌着が行われたときには前記調整ネジとは螺合状態で係着し、前記ピボットホルダは反射鏡に設けられて前記ピボット付ナットのナット部と揺動自在に係着し、且つ、前記ナット受けと、ピボットホルダと、調整ネジ受けとは前記調整ネジの軸に沿う係着方向とされている照準装置としたことで、調整ネジとピボット付ナットとを予めに治具による所定寸法での組付を可能とし、前照灯の組立工程終了後の最終照準工程を省略可能とし、前照灯の生産性の向上に極めて優れた効果を奏するものである。
【００２３】
また、上記の構成としたことで、前照灯の組立工程からハウジング内となり目視が困難な状態で、調整ネジとピボット付ナットとを螺合させるという、大変に困難で且つ手間のかかる工程を排除し、この点においても、前照灯の生産性の向上に極めて優れた効果を奏するものである。
【図面の簡単な説明】
【図１】  本発明に係る照準装置の実施形態を一部を分解した状態で示す断面図である。
【図２】  本発明に係る照準装置の要部である調整ネジとピボット付ナットとの構成を示す斜視図である。
【図３】  図２のＡ−Ａ線に沿う断面図である。
【図４】  発明に係る照準装置の製造方法における調整ネジとピボット付ナットとの組付け工程を示す説明図である。
【図５】  本発明に係る照準装置を前照灯に組込まれた状態で示す断面図である。
【図６】  従来例を示す説明図である。
【図７】  従来例の要部を示す説明図である。
【符号の説明】
１……照準装置
２……調整ネジ
２ａ……ギア
３……ピボット付ナット
３１……ナット部
３１ａ……スリット
３１ｂ……摺動ガイド
３２……ピボット部
４……ナット受け
５……ピボットホルダ
６……調整ネジ受け
１０……前照灯
１１……ハウジング
１２……反射鏡
２０……治具
Ｘ……調整ネジの軸
【図１】
0004335421.tif 000002
【図２】
0004335421.tif 000003
【図３】
0004335421.tif 000004
【図４】
0004335421.tif 000005
【図５】
0004335421.tif 000006
【図６】
0004335421.tif 000007
【図７】
0004335421.tif 000008